(57)【要約】【課題】パスワード入力の方法を提供する。【解決手段】パスワード入力の方法は背景図案を利用し使用者のパスワード位置記憶を助けパスワードが傍らの人に盗用されることを防止する。本発明のパスワード入力の方法は背景図案上に複数のパスワード文字を設置し、使用者は背景図案により少なくとも一個のパスワード位置を記憶し、次にシステムに対して該パスワード位置が表示するパスワード文字を入力する。これにより本発明のパスワード入力の方法は背景図案を利用し使用者のパスワード位置記憶を助けパスワードが傍らの人に盗用されることを防止することができる。【選択図】図１
2009146378.tif 000002
【特許請求の範囲】
【請求項１】
パスワード入力の方法は以下のステップを含み、
（１）使用者は所定のコードナンバーをシステムに入力し、
（２）モニターはパスワード影像区、文字提示区及び文字入力区を表示し、該パスワード影像区は背景図案を備え、該背景図案上には複数のパスワード文字を表示し、該文字提示区上は複数の文字ブロックに区画し、該各文字ブロック上にはそれぞれ一個の提示文字を表示し、しかも該各提示文字は相互に重複せず、該各パスワード文字及び該各提示文字はそれぞれ文字、数字或いは符号で、
（３）該使用者はパスワード位置が表示する該パスワード文字を該文字入力区に入力し、
（４）該文字ブロックを注記し、注記した該文字ブロックが表示する該提示文字と該文字入力区に入力した該パスワード文字は相同で、
（５）該ステップ（３）から該ステップ（４）を繰り返し、
（６）終了することを特徴とするパスワード入力の方法。
【請求項２】
前記各パスワード位置は所定の順序であることを特徴とする請求項１に記載のパスワード入力の方法。
【請求項３】
前記ステップ（２）中において、該背景図案はアレーにより複数のパスワードブロックに区画され、少なくとも一個の該パスワードブロックを少なくとも一個の第一指示ブロックとして予め設定し、該第一指示ブロックが表示する該パスワード文字は指示方向及び指示数字を予め設定し、該ステップ（３）中において、該使用者は該第一指示ブロックを出発点とし、該指示方向を移動方向とし、該指示数字を移動ブロック数とし、該アレー中において該パスワード位置を探し出し、或いは、該ステップ（２）中において、該背景図案はアレーにより複数のパスワードブロックに区画され、少なくとも一個の該パスワードブロックを少なくとも一個の第一指示ブロックとして予め設定し、少なくとも一個の該パスワードブロックを少なくとも一個の第二指示ブロックとして予め設定し、該第二指示ブロックは該第一指示ブロックに対応し、該第一指示ブロックが表示する該パスワード文字は指示方向を予め設定し、該第二指示ブロックが表示する該パスワード文字は指示数字を予め設定し、該ステップ（３）中において、該使用者は該第一指示ブロック或いは該第二指示ブロックを出発点とし、該指示方向を移動方向とし、該指示数字を移動ブロック数とし、該アレー中において該パスワード位置を探し出すことを特徴とする請求項１に記載のパスワード入力の方法。
【請求項４】
前記ステップ（２）はさらにステップ（２‐１）、ステップ（２‐２）を含み、
ステップ（２‐１）において該使用者は複数の第一干渉文字を該文字入力区に入力し、該各第一干渉文字はそれぞれ文字、数字或いは符号で、
ステップ（２‐２）において該各文字ブロックを注記し、注記した該各文字ブロックが表示する該各提示文字はそれぞれ該文字入力区に入力した該各第一干渉文字と相同であることを特徴とする請求項１或いは２或いは３に記載のパスワード入力の方法。
【請求項５】
前記ステップ（５）さらにステップ（５‐１）、ステップ（５‐２）を含み、
ステップ（５‐１）において該使用者は複数の第二干渉文字を該文字入力区に入力し、該各第二干渉文字はそれぞれ文字、数字或いは符号で、
ステップ（５‐２）において該各文字ブロックを注記し、注記した該各文字ブロックが表示する該各提示文字はそれぞれ該文字入力区に入力した該各第二干渉文字と相同であることを特徴とする請求項１或いは２或いは３に記載のパスワード入力の方法。
【請求項６】
前記ステップ（５）はさらにステップ（５‐１）、ステップ（５‐２）を含み、
ステップ（５‐１）において該使用者は複数の第二干渉文字を該文字入力区に入力し、該各第二干渉文字はそれぞれ文字、数字或いは符号で、
ステップ（５‐２）において該各文字ブロックを注記し、注記した該各文字ブロックが表示する該各提示文字はそれぞれ該文字入力区に入力した該各第二干渉文字と相同であることを特徴とする請求項４に記載のパスワード入力の方法。
【請求項７】
前記コードナンバーは該使用者が該システムに対して登録時に該使用者或いは該システムが決定したもので、或いは該コードナンバーは該使用者が該システムにログインする前に該システムが該使用者に提供したものであることを特徴とする請求項１に記載のパスワード入力の方法。
【請求項８】
前記使用者が所定の該コードナンバーを該システムに入力する度に、該背景図案は毎回相同で、該各パスワード文字は該システムにより動態発生され、出現する該各パスワード文字は毎回異なることを特徴とする請求項１に記載のパスワード入力の方法。
【請求項９】
前記背景図案は該使用者が該システムに対して登録時に該使用者或いは該システムが決定したもので、或いは該背景図案は該使用者が該システムにログインする前に該システムが該使用者に提供したものであることを特徴とする請求項８に記載のパスワード入力の方法。
【請求項１０】
前記使用者は該パスワード文字をキーボード或いはその他入力装置により該文字入力区に入力し、或いはマウスにより該文字提示区中の該文字ブロックをクリックし該文字入力区に入力し、或いは該モニター中の該文字提示区中の該文字ブロックを触れることにより該文字入力区に入力することを特徴とする請求項１に記載のパスワード入力の方法。
【請求項１１】
前記文字ブロックは色を変えることで注記することを特徴とする請求項１に記載のパスワード入力の方法。
【請求項１２】
前記各第一干渉文字は複数の第一ランダム文字、複数の第一所定文字或いはその組合せであることを特徴とする請求項４に記載のパスワード入力の方法。
【請求項１３】
前記各第二干渉文字は複数の第二ランダム文字、複数の第二所定文字或いはその組合せであることを特徴とする請求項５に記載のパスワード入力の方法。
【請求項１４】
前記各第二干渉文字は複数の第二ランダム文字、複数の第二所定文字或いはその組合せであることを特徴とする請求項６に記載のパスワード入力の方法。
【請求項１５】
前記ステップ（５）はさらにステップ（５‐３）、ステップ（５‐４）を含み、
ステップ（５‐３）において該使用者は少なくとも一個の未入力文字を該システムに入力し、該未入力文字は一文字、一数字或いは一符号で、
ステップ（５‐４）において該文字ブロックを注記し、注記した該文字ブロックが表示する該入力文字と該システムに入力した該未入力文字は相同であることを特徴とする請求項１或いは２或いは３に記載のパスワード入力の方法。
【請求項１６】
前記ステップ（５）はさらにステップ（５‐３）、ステップ（５‐４）を含み、
ステップ（５‐３）において該使用者は少なくとも一個の未入力文字を該システムに入力し、該未入力文字は一文字、一数字或いは一符号で、
ステップ（５‐４）において該文字ブロックを注記し、注記した該文字ブロックが表示する該入力文字と該システムに入力した該未入力文字は相同であることを特徴とする請求項４に記載のパスワード入力の方法。
【請求項１７】
前記ステップ（５）はさらにステップ（５‐３）、ステップ（５‐４）を含み、
ステップ（５‐３）において該使用者は少なくとも一個の未入力文字を該システムに入力し、該未入力文字は一文字、一数字或いは一符号で、
ステップ（５‐４）において該文字ブロックを注記し、注記した該文字ブロックが表示する該入力文字と該システムに入力した該未入力文字は相同であることを特徴とする請求項５に記載のパスワード入力の方法。
【請求項１８】
前記ステップ（５）はさらにステップ（５‐３）、ステップ（５‐４）を含み、
ステップ（５‐３）において該使用者は少なくとも一個の未入力文字を該システムに入力し、該未入力文字は一文字、一数字或いは一符号で、
ステップ（５‐４）において該文字ブロックを注記し、注記した該文字ブロックが表示する該入力文字と該システムに入力した該未入力文字は相同であることを特徴とする請求項６に記載のパスワード入力の方法。
【発明の詳細な説明】
【技術分野】
【０００１】
本発明はパスワード入力の方法に関する。特に使用者に背景図案を利用しパスワード位置の記憶を助けパスワードが傍らの人に盗用されることを防止することができるパスワード入力の方法に係る。
【背景技術】
【０００２】
近年、人員の出入りに対する物理的な実体通行制限の入室システム、或いは情報を引き出す人に対するバーチャル通行制限のコンピュータ、或いは情報サーバーシステム等で、パスワード機密性の維持と保護は、疑いもなくパスワードの使用権利保護を有効とするための先決条件である。
【０００３】
パスワードの機密性を向上させるために、パスワードのインターネットによる伝送時の安全性について多くの設計、発明が行われているが、その主要な手段は、新たなソフトウエア或いはハードウエアを設計し、パスワードが伝送時に第三者に盗み取られることを防止し、或いはその解読の困難性を拡大させるものである。
【０００４】
しかし、各種設計はパスワードをインターネット間で安全に伝送可能とすることはできるが、使用者の入力時に、傍にいる人に意識的に、或いは無意識にパスワードを知られる可能性を払拭することはできない。特に、図書館或いはオフィス等公共の場所で共用のコンピュータ或いはワークステーションを使用する等、傍にいる人を完全に排除することができない操作環境下では重大な問題である。また権利を持つ人員或いは一般住民が入室区域或いは自宅に入る時にも、傍に人がいる状況でパスワードを入力しなければならない場合はある。この他、現在広く普及している自動販売機の操作でも同様の問題は存在する。これら状況は現代の情報化された日常生活と各仕事の領域では極めて頻繁に見られる光景であるため、どのようにして入力過程においてパスワードが傍にいる人に知られないようにするかは、解決が必要な問題である。
【０００５】
パスワードの入力を安全にする問題の他に、文字と数字の序列は繰り返し入力の自動プログラムに破られ易く、伝統的なパスワードではインターネットを利用した侵入者を効果的に防ぐことはできない。
【０００６】
よって、パスワード入力の方法を発明し、これにより使用者に背景図案を利用しパスワード位置の記憶を助け、パスワードが傍らの人に盗用されることを防止することが本発明が掲示するところである。
【発明の開示】
【発明が解決しようとする課題】
【０００７】
上記公知のパスワード入力の方法の欠点に鑑み、本発明人はその不完全に対して知力を尽くし研究克服を目指し、該産業に従事して来た多年にわたる経験を生かし、パスワード入力の方法を開発した。これにより使用者は背景図案を利用しパスワード位置の記憶を助け、パスワードが傍らの人に盗用されることを防止することができる。
【０００８】
本発明が解決しようとする主要な課題は、背景図案上に複数のパスワード文字を設置し、使用者は背景図案により少なくとも一個のパスワード位置を記憶し、こうして使用者は該パスワード位置が表示するパスワード文字を入力する時、パスワードが傍らの人に盗み見られることを防止可能であるパスワード入力の方法を提供することである。
【課題を解決するための手段】
【０００９】
上記課題を解決するため、本発明は下記のパスワード入力の方法を提供する。
【００１０】
それは主に以下のステップを含み、
（１）使用者は所定のコードナンバーをシステムに入力し、
（２）モニターはパスワード影像区、文字提示区及び文字入力区を表示し、該パスワード影像区は背景図案を備え、該背景図案上には複数のパスワード文字を表示し、該文字提示区上は複数の文字ブロックに区画し、該各文字ブロック上にはそれぞれ一個の提示文字を表示し、しかも該各提示文字は相互に重複せず、該各パスワード文字及び該各提示文字はそれぞれ文字、数字或いは符号で、
（３）該使用者はパスワード位置が表示する該パスワード文字を該文字入力区に入力し、
（４）該文字ブロックを注記し、注記した該文字ブロックが表示する該提示文字と該文字入力区に入力した該パスワード文字は相同で、
（５）該ステップ（３）から該ステップ（４）を繰り返し、
（６）終了し、
これにより本発明のパスワード入力の方法は使用者に背景図案を利用しパスワード位置の記憶を助け、パスワードが傍らの人に盗用されることを防止することができる。
【発明の効果】
【００１１】
上記のように、本発明のパスワード入力の方法は背景図案上に複数のパスワード文字を設置し、使用者は背景図案により少なくとも一個のパスワード位置を記憶し、次にシステムに対して該パスワード位置が表示するパスワード文字を入力する。これにより本発明のパスワード入力の方法は背景図案を利用し使用者のパスワード位置記憶を助けパスワードが傍らの人に盗用されることを防止することができる。
【発明を実施するための最良の形態】
【００１２】
本発明の目的、特徴及び機能を理解頂くため、以下に具体的実施例に図式を合わせ、詳細な説明を行う。
【００１３】
図１及び図２はそれぞれ本発明最適具体的実施例のフローチャート一及び実施例図一である。図に示すように、本発明のパスワード入力の方法の実施例一は以下のステップを含む。
【００１４】
（１）使用者は所定のコードナンバーをシステムに入力する（図示なし）。該コードナンバーは該使用者が該システムに対して登録時に、該使用者或いは該システムが決定したもので、或いは該コードナンバーは該使用者が該システムにログインする前に、該システムが該使用者に提供したものである。
【００１５】
（２）モニター（図示なし）はパスワード影像区１、文字提示区２及び文字入力区３を表示する。該パスワード影像区１は背景図案１１を備え、該背景図案１１上には複数のパスワード文字１２、１３、１４等を表示し、該文字提示区２上は複数の文字ブロック２１に区画し、該各文字ブロック２１上にはそれぞれ一個の提示文字２２を表示し、しかも該各提示文字２２は相互に重複せず、該各パスワード文字１２、１３、１４等及び該各提示文字２２はそれぞれ文字、数字或いは符号である。該使用者が所定の該コードナンバーを該システムに入力する度に、該背景図案１１は毎回相同で、該各パスワード文字１２、１３、１４等は該システムにより動態発生され、出現する該各パスワード文字１２、１３、１４等は毎回異なる。該背景図案１１は該使用者が該システムに対して登録時に、該使用者或いは該システムが決定したもので、或いは該背景図案１１は該使用者が該システムにログインする前に該システムが該使用者に提供したものである。
【００１６】
（３）該使用者はパスワード位置１５（１６、１７）が表示する該パスワード文字１２（１３、１４）を該文字入力区３に入力する。該使用者は該パスワード文字１２（１３、１４）をキーボード（図示なし）或いはその他入力装置（図示なし）により該文字入力区３に入力し、或いはマウス（図示なし）により該文字提示区２中の該文字ブロック２１をクリックし、該文字入力区３に入力し、或いは該モニター中の該文字提示区２中の該文字ブロック２１に触れることにより該文字入力区３に入力する。
【００１７】
（４）該文字ブロック２１を注記し、注記した該文字ブロック２１が表示する該提示文字２２と該文字入力区３に入力した該パスワード文字１２は相同で、該文字ブロック２１は色を変えることで注記することができる。
【００１８】
（５）該ステップ（３）から該ステップ（４）を繰り返し、内、該各パスワード位置１５、１６、１７は所定の順序である。
【００１９】
（６）終了。
【００２０】
実施例一のステップに基づき、該使用者は所定の該コードナンバーを該システムに入力後、該モニターは該パスワード影像区１、該文字提示区２及び該文字入力区３を表示する。該パスワード影像区１は該背景図案１１を備え、該背景図案１１上には複数のパスワード文字１２、１３、１４等を表示し、該文字提示区２上は複数の文字ブロック２１に区画し、該各文字ブロック２１上にはそれぞれ一個の提示文字２２を表示する。該各提示文字２２は相互に重複せず、該各パスワード文字１２、１３、１４等及び該各提示文字２２はそれぞれ文字、数字或いは符号である。該使用者は所定の順序である該各パスワード位置１５、１６、１７が表示する該各パスワード文字１２、１３、１４を該文字入力区３に入力し、該文字ブロック２１を注記する。注記した該文字ブロック２１が表示する該提示文字２２と該文字入力区３に入力した該パスワード文字１２は相同である。よって、該文字入力区３に入力したパスワードはJ（１２）A（１３）Y（１４）である。
【００２１】
図３は本発明最適具体的実施例の実施例図二である。図に示すように、本発明実施例一の方法により実施例二を派生させることができる。本発明のパスワード入力の方法の実施例二は実施例一のステップ（２）中において、該背景図案１１をアレーにより複数のパスワードブロック１８、１９等に区画する。順番に予め設定する二個のパスワードブロック１８、１９は二個の第一指示ブロックで、該二個の第一指示ブロックが表示する二個のパスワード文字F１８１及びM１９１はそれぞれ指示方向（例えば上、下、左、右等）及び指示数字を予め設定する。
【００２２】
ステップ（３）中において、該使用者は該第一指示ブロックを出発点とし、該指示方向を移動方向とし、該指示数字を移動ブロック数とし、該アレー中において該パスワード位置を探し出す。
【００２３】
実施例二のステップに基づき、二個のパスワードブロック１８、１９を順番に二個の第一指示ブロックとして予め設定する。該二個の第一指示ブロックが表示する二個のパスワード文字F１８１及びM１９１はそれぞれ指示方向を下及び右とそれぞれ予め設定し、及び指示数字を3及び5とそれぞれ予め設定する。続いて、順番に該二個の第一指示ブロックを出発点とし、該指示方向を移動方向とし、該指示数字を移動ブロック数とし、該アレー中において二個のパスワード位置１０１、１０２を探し出す。よって、該文字入力区３に入力したパスワードは%Lである。
【００２４】
図４は本発明最適具体的実施例の実施例図三である。図に示すように、本発明実施例一の方法により実施例三を派生させることができる。本発明のパスワード入力の方法の実施例三は実施例一のステップ（２）中において、該背景図案１１をアレーにより複数のパスワードブロック１８、１９、２０、３０等に区画する。順番に二個のパスワードブロック１８、１９を二個の第一指示ブロックとして予め設定し、該二個のパスワードブロック１８、１９と対応する二個のパスワードブロック２０、３０を順番に二個の第二指示ブロックとして予め設定する。該二個の第一指示ブロックが表示する二個のパスワード文字D１８２及び%１９２はそれぞれ指示方向（例えば上、下、左、右等）を予め設定し、該二個の第二指示ブロックが表示する二個のパスワード文字I２０１及びN３０１はそれぞれ指示数字を予め設定する。
【００２５】
該ステップ（３）中において、該使用者は該第一指示ブロック或いは該第二指示ブロックを出発点とし、該指示方向を移動方向とし、該指示数字を移動ブロック数とし、該アレー中において該パスワード位置を探し出す。
【００２６】
実施例三のステップに基づき、順番に二個のパスワードブロック１８、１９を二個の第一指示ブロックとして予め設定し、該二個のパスワードブロック１８、１９と対応する二個のパスワードブロック２０、３０を順番に二個の第二指示ブロックとして予め設定する。該二個の第一指示ブロックが表示する二個のパスワード文字D１８２及び%１９２はそれぞれ指示方向を上及び左と予め設定し、該二個の第二指示ブロックが表示する二個のパスワード文字I２０１及びN３０１はそれぞれ指示数字を7及び2と予め設定する。続いて、順番に該二個の第一指示ブロックを出発点とし、該指示方向を移動方向とし、該指示数字を移動ブロック数とし、該アレー中において二個のパスワード位置１０１、１０２を探し出す。よって、該文字入力区３に入力したパスワードはOである。
【００２７】
図５〜７はそれぞれ本発明最適具体的実施例のフローチャート二〜四である。図に示すように、本発明実施例一〜三の方法において、ステップ（２）及びステップ（３）の間にはステップ（２‐１）、ステップ（２‐２）を加えることができる。
【００２８】
ステップ（２‐１）により、該使用者は複数の第一干渉文字を該文字入力区に入力する。該各第一干渉文字はそれぞれ文字、数字或いは符号である。
【００２９】
ステップ（２‐２）により、該各文字ブロックを注記し、注記した該各文字ブロックが表示する該各提示文字はそれぞれ該文字入力区に入力した該各第一干渉文字と相同である。
【００３０】
或いは、ステップ（５）及びステップ（６）の間にステップ（５‐１）、ステップ（５‐２）を加えることができる。
【００３１】
ステップ（５‐１）により該使用者は複数の第二干渉文字を該文字入力区に入力し、該各第二干渉文字はそれぞれ文字、数字或いは符号である。
【００３２】
ステップ（５‐２）により該各文字ブロックを注記し、注記した該各文字ブロックが表示する該各提示文字はそれぞれ該文字入力区に入力した該各第二干渉文字と相同である。
【００３３】
或いは、ステップ（２）及びステップ（３）の間にステップ（２‐１）、ステップ（２‐２）を加えることができる。
【００３４】
ステップ（２‐１）により、該使用者は複数の第一干渉文字を該文字入力区に入力する。該各第一干渉文字はそれぞれ文字、数字或いは符号である。
【００３５】
ステップ（２‐２）により、該各文字ブロックを注記し、注記した該各文字ブロックが表示する該各提示文字はそれぞれ該文字入力区に入力した該各第一干渉文字と相同である。
【００３６】
しかもステップ（５）及びステップ（６）の間にステップ（５‐１）、ステップ（５‐２）を加えることができる。
【００３７】
ステップ（５‐１）により、該使用者は複数の第二干渉文字を該文字入力区に入力し、該各第二干渉文字はそれぞれ文字、数字或いは符号である。
【００３８】
ステップ（５‐２）により、使該各文字ブロックを注記し、注記した該各文字ブロックが表示する該各提示文字はそれぞれ該文字入力区に入力した該各第二干渉文字と相同である。
【００３９】
内、該各第一干渉文字可は複数の第一ランダム文字、複数の第一所定文字或いはその組合せである。該各第二干渉文字は複数の第二ランダム文字、複数の第二所定文字或いはその組合せである。
【００４０】
もし傍らの人が使用者のパスワード入力の過程を盗み見ても、該各干渉文字は正確なパスワード位置の判断を妨げ、該各所定文字は該システムの管理者が正確なパスワード位置を盗用することを防止可能である。
【００４１】
図８〜１１はそれぞれ本発明最適具体的実施例のフローチャート五〜八である。図に示すように、本発明実施例一〜三の方法中において、ステップ（５）及びステップ（６）の間にはステップ（５‐３）、ステップ（５‐４）を加えることができる。
【００４２】
ステップ（５‐３）により、該使用者は少なくとも一個の未入力文字を該システムに入力することができる。該未入力文字は一文字、一数字或いは一符号である。
【００４３】
ステップ（５‐４）により、該文字ブロックを注記し、注記した該文字ブロックが表示する該入力文字と該システムに入力した該未入力文字は相同である。
【００４４】
或いは、ステップ（２）及びステップ（３）の間にステップ（２‐１）、ステップ（２‐２）を加えることができる。
【００４５】
ステップ（２‐１）により、該使用者は複数の第一干渉文字を該文字入力区に入力する。該各第一干渉文字はそれぞれ文字、数字或いは符号である。
【００４６】
ステップ（２‐２）により、該各文字ブロックを注記し、注記した該各文字ブロックが表示する該各提示文字はそれぞれ該文字入力区に入力した該各第一干渉文字と相同である。
【００４７】
しかもステップ（５）及びステップ（６）の間にステップ（５‐３）、ステップ（５‐４）を加えることができる。
【００４８】
ステップ（５‐３）により該使用者は少なくとも一個の未入力文字を該システムに入力し、該未入力文字は一文字、一数字或いは一符号である。
【００４９】
ステップ（５‐４）により、該文字ブロックを注記し、注記した該文字ブロックが表示する該入力文字と該システムに入力した該未入力文字は相同である。
【００５０】
或いは、ステップ（５）及びステップ（６）の間にステップ（５‐１）、ステップ（５‐２）、 ステップ（５‐３）、ステップ（５‐４）を加えることができる。
【００５１】
ステップ（５‐１）により、該使用者は複数の第二干渉文字を該文字入力区に入力し、該各第二干渉文字はそれぞれ文字、数字或いは符号である。
【００５２】
ステップ（５‐２）により、該各文字ブロックを注記し、注記した該各文字ブロックが表示する該各提示文字はそれぞれ該文字入力区に入力した該各第二干渉文字と相同である。
【００５３】
ステップ（５‐３）により、該使用者は少なくとも一個の未入力文字を該システムに入力し、該未入力文字は一文字、一数字或いは一符号である。
【００５４】
ステップ（５‐４）により、該文字ブロックを注記し、注記した該文字ブロックが表示する該入力文字と該システムに入力した該未入力文字は相同である。
【００５５】
或いは、ステップ（２）及びステップ（３）の間にステップ（２‐１）、ステップ（２‐２）を加えることができる。
【００５６】
ステップ（２‐１）により、該使用者は複数の第一干渉文字を該文字入力区に入力する。該各第一干渉文字はそれぞれ文字、数字或いは符号である。
【００５７】
ステップ（２‐２）により該各文字ブロックを注記し、注記した該各文字ブロックが表示する該各提示文字はそれぞれ該文字入力区に入力した該各第一干渉文字と相同である。
【００５８】
しかもステップ（５）及びステップ（６）の間にステップ（５‐１）、ステップ（５‐２）、ステップ（５‐３）、ステップ（５‐４）を加えることができる。
【００５９】
ステップ（５‐１）により、該使用者は複数の第二干渉文字を該文字入力区に入力し、該各第二干渉文字はそれぞれ文字、数字或いは符号である。
【００６０】
ステップ（５‐２）により、該各文字ブロックを注記し、注記した該各文字ブロックが表示する該各提示文字はそれぞれ該文字入力区に入力した該各第二干渉文字と相同である。
【００６１】
ステップ（５‐３）により、該使用者は少なくとも一個の未入力文字を該システムに入力し、該未入力文字は一文字、一数字或いは一符号である。
【００６２】
ステップ（５‐４）により、該文字ブロックを注記し、注記した該文字ブロックが表示する該入力文字と該システムに入力した該未入力文字は相同である。
【００６３】
内、該各未入力文字は該文字提示区内の注記されていない該各文字ブロックが表示する該各提示文字で、すなわち入力されていない該システムの余剰文字である。使用者は最後に少なくとも一個の未入力文字或いは余剰文字をすべて該システムに入力することができる。もし傍らの人が使用者のパスワード入力の過程を盗み見ても、該各未入力文字はパスワード位置の正確な判断を干渉することができる。さらに、すべての該システムに入力される文字は重複入力が可能であるため、パスワード位置の正確な判断をより一層干渉することができる。
【産業上の利用可能性】
【００６４】
上記のように、本発明は新規性、進歩性、産業上の利用性という特許の三要件を完全に満たしている。すなわち新規性と進歩性については、本発明は背景図案上に複数のパスワード文字を設置し、使用者は背景図案により少なくとも一個のパスワード位置を記憶し、こうして使用者は該パスワード位置が表示するパスワード文字を入力する時にパスワードが傍らの人に盗用される恐れを払拭することができることで明らかである。産業上の利用性については、本発明から派生する製品は市場のニーズに十分に応えることができることで証明される。
【図面の簡単な説明】
【００６５】
【図１】本発明の最適な具体的実施例のフローチャート一である。
【図２】本発明の最適な具体的実施例の実施例図一である。
【図３】本発明の最適な具体的実施例の実施例図二である。
【図４】本発明の最適な具体的実施例の実施例図三である。
【図５】本発明の最適な具体的実施例のフローチャート二である。
【図６】本発明の最適な具体的実施例のフローチャート三である。
【図７】本発明の最適な具体的実施例のフローチャート四である。
【図８】本発明の最適な具体的実施例のフローチャート五である。
【図９】本発明の最適な具体的実施例のフローチャート六である。
【図１０】本発明の最適な具体的実施例のフローチャート七である。
【図１１】本発明の最適な具体的実施例のフローチャート八である。
【符号の説明】
【００６６】
（１）（２）（２‐１）（２‐２）（３）（４）（５）（５‐１）（５‐２）（５‐３）（５‐４）（６）  ステップ
１  パスワード影像区
１１  背景図案
１２  パスワード文字
１３  パスワード文字
１４  パスワード文字
１５  パスワード位置
１６  パスワード位置
１７  パスワード位置
１８  パスワードブロック
１８１  パスワード文字
１８２  パスワード文字
１９  パスワードブロック
１９１  パスワード文字
１９２  パスワード文字
２０  パスワードブロック
２０１  パスワード文字
３０  パスワードブロック
３０１  パスワード文字
１０１  パスワード位置
１０２  パスワード位置
２  文字提示区
２１  文字ブロック
２２  提示文字
３  文字入力区
【図１】
2009146378.tif 000003
【図２】
2009146378.tif 000004
【図３】
2009146378.tif 000005
【図４】
2009146378.tif 000006
【図５】
2009146378.tif 000007
【図６】
2009146378.tif 000008
【図７】
2009146378.tif 000009
【図８】
2009146378.tif 000010
【図９】
2009146378.tif 000011
【図１０】
2009146378.tif 000012
【図１１】
2009146378.tif 000013